(57)【要約】  本発明は、衣類の一部分に配置され、衣類を折り畳んで整理するドレスブックにおいて、ダイアリー形状に製作され、設定された形態に衣類を折り畳んで収納する本体と；前記本体の一部分に設けられ、前記本体に折り畳まれて収納された衣類の離脱を防止する離脱防止部材と；を含み、前記本体は、設定された形態に製作され、ダイアリー形状の一面を成す第１翼部と；前記第１翼部に対応し、四角形の形状に製作され、ダイアリー形状の他面を成す第２翼部と；前記第１翼部と前記第２翼部との間に介在した状態に一体に連結され、かつ、前記第１翼部と前記第２翼部をそれぞれ内側に折り曲げる折り曲げ部と；を含むことを特徴とし、  本体をブックやダイアリーの形状に製作して、衣類を本体に配置し、折り曲げ部を利用して翼部を設定された方向に折り畳みながら、短時間に容易に衣類の整理および保管が可能なので、利用者の苦労を低減すると共に、時間的な面においても節約が可能である。【選択図】図１
2019531986.tif 000002
【特許請求の範囲】
【請求項１】
衣類の一部分に配置され、衣類を折り畳んで整理するドレスブックにおいて、
ダイアリー形状に製作され、設定された形態に衣類を折り畳んで収納する本体と；
前記本体の一部分に設けられ、前記本体に折り畳まれて収納された衣類の離脱を防止する離脱防止部材と；を含み、
前記本体は、
設定された形態に製作され、ダイアリー形状の一面を成す第１翼部と；
前記第１翼部に対応し、四角形の形状に製作され、ダイアリー形状の他面を成す第２翼部と；
前記第１翼部と前記第２翼部との間に介在した状態に一体に連結され、かつ、前記第１翼部と前記第２翼部をそれぞれ内側に折り曲げる折り曲げ部と；を含むことを特徴とする衣類の整理が容易なドレスブック。
【請求項２】
前記離脱防止部材は、
前記第１、第２翼部の末端にそれぞれ設置され、衣類が折り畳まれて収納された前記本体の前記第１、第２翼部と前記折り曲げ部の外側を取り囲みながら衣類を固定させるストラップであることを特徴とする請求項１に記載の衣類の整理が容易なドレスブック。
【請求項３】
前記第１翼部の末端の一部分に設定された形の溝を形成し、衣類の整理時に衣類の一部分が挟持固定される固定部をさらに含むことを特徴とする請求項１に記載の衣類の整理が容易なドレスブック。
【請求項４】
前記第１翼部の一部分に切開された状態に形成され、切開された部位の間に衣類の一部分を挟持する挟持部をさらに含むことを特徴とする請求項１に記載の衣類の整理が容易なドレスブック。
【請求項５】
前記本体は、
合成樹脂を利用して製作されることを特徴とする請求項１に記載の衣類の整理が容易なドレスブック。
【請求項６】
前記本体は、
前記第１翼部のそれぞれのエッジ部分を斜め方向に設定されたサイズの面取りをして衣類の一部分が被せられながら固定され、前記挟持部の上端の一部分に形成されたホールを介して前記離脱防止部材の一端が貫通して固定されることを特徴とする請求項１に記載の衣類の整理が容易なドレスブック。
【発明の詳細な説明】
【技術分野】
【０００１】
本発明は、衣類を容易に折り畳んでブック形態に保管することができるように衣類の整理が容易なドレスブックに関する。
【背景技術】
【０００２】
デパートなどの衣類販売店では、多量の衣類を倉庫に入れて保管するが、軟質シートの袋に入れて保管することが一般的である。限定された空間に多くの衣類を保管するために、軟質シートに収納された衣類を多量積層して保管するので、衣類にしわができたり、衣類の形態が壊れやすい。
【０００３】
したがって、消費者としては、しわがよった衣類を受けるため、機嫌が悪くなることがあり、販売業者としては、衣類の損傷による損失が発生し得る。
【０００４】
また、旅行、出張などの理由で旅行用トランクに衣類を収納して運ぶ場合、トランク内に衣類をよく折り畳んで積み重ねるとしても、トランクの内部で衣類が固定されないため、衣類が片側に偏るか、しわが発生するようになる。
【０００５】
したがって、こざっぱりした衣類を着るためには、旅行到着地でさらに衣類にアイロンをかけなければならないという不便さが発生し得る。
【０００６】
一方、従来の衣類整理方式は、ハンガーを利用してかけることと、衣類を折り畳んで積み重ねることであって、したがって、衣類を保管するための別途の衣装だんす空間が必要であり、衣類は、長時間大変に整理しておいても、取り出して使用する際に乱れやすいところ、このような空間的且つ時間的浪費要因が日常生活に少なくない不便を招く問題が発生し得る。
【先行技術文献】
【特許文献】
【０００７】
【特許文献１】韓国実用新案公開第２０−２０１２−０００４８８８号公報（発明の名称：シャツ保管箱）
【発明の概要】
【発明が解決しようとする課題】
【０００８】
本発明は、前記のような従来技術の問題点を改善するためになされたものであって、衣類をブック形状に折り畳んで収納して衣類の保管を便利にする機能が備わった衣類の整理が容易なドレスブックを提供することを目的とする。
【０００９】
また、整理された衣類の離脱を防止する機能が備わった衣類の整理が容易なドレスブックを提供することを他の目的とする。
【課題を解決するための手段】
【００１０】
上述した目的を達成するための本発明による衣類の整理が容易なドレスブックは、衣類の一部分に配置され、衣類を折り畳んで整理するドレスブックにおいて、ダイアリー形状に製作され、設定された形態に衣類を折り畳んで収納する本体と；前記本体の一部分に設けられ、前記本体に折り畳まれて収納された衣類の離脱を防止する離脱防止部材と；を含み、前記本体は、設定された形態に製作され、ダイアリー形状の一面を成す第１翼部と；前記第１翼部に対応し、四角形の形状に製作され、ダイアリー形状の他面を成す第２翼部と；前記第１翼部と前記第２翼部との間に介在した状態に一体に連結され、かつ、前記第１翼部と前記第２翼部をそれぞれ内側に折り曲げる折り曲げ部と；を含むことができる。
【００１１】
また、前記離脱防止部材は、前記第１，第２翼部の末端にそれぞれ設置され、衣類が折り畳まれて収納された前記本体の前記第１，第２翼部と前記折り曲げ部の外側を取り囲みながら衣類を固定させるストラップであってもよい。
【００１２】
また、前記第１翼部の末端の一部分に設定された形態の溝を形成し、衣類の整理時に衣類の一部分が挟持固定される固定部をさらに含むことができる。
【００１３】
また、前記第１翼部の一部分に切開された状態に形成され、切開された部位の間に衣類の一部分を挟持する挟持部をさらに含むことができる。
【００１４】
また、前記本体は、合成樹脂を利用して製作され得る。
【００１５】
また、前記本体は、前記第１翼部のそれぞれのエッジ部分を斜め方向に設定されたサイズの面取りをして衣類の一部分が被せられ、前記挟持部の上端の一部分に形成されたホールを介して前記離脱防止部材の一端が貫通して固定され得る。
【発明の効果】
【００１６】
本発明による衣類の整理が容易なドレスブックは、本体をブックやダイアリー形状に製作して、衣類を本体に配置し、折り曲げ部を利用して第１、第２翼部をそれぞれ内側方向に折り畳みながら、短時間に容易に衣類の整理および保管が可能なので、利用者の苦労を低減すると共に、時間的な面においても節約が可能である。
【００１７】
また、第１翼部は、それぞれのエッジを斜めに設定されたサイズの面取りをして、衣類の一部分を被せながら衣類を固定させることができる。
【００１８】
また、本体に設けられるストラップを利用して衣類が折り畳まれて収納された本体の外側を取り囲みながら、本体から衣類が離脱するのを防止することができる。
【図面の簡単な説明】
【００１９】
【図１】図１は、本発明の実施例による衣類の整理が容易なドレスブックの斜視図である。
【図２】図２は、前記ドレスブックの展開図である。
【図３】図３は、前記ドレスブックの実施例を示す図である。
【発明を実施するための形態】
【００２０】
後述する本発明に関する詳細な説明は、本発明が実施され得る特定の実施例を例示として図示する添付の図面を参照する。これらの実施例は、当業者が本発明を実施できるに十分となるように詳細に説明される。本発明の多様な実施例は、互いに異なるが、相互排他的である必要はないことが理解されなければならない。例えば、ここに記載されている特定の形状、構造および特性は、一実施例に関連して本発明の技術的思想および範囲を逸脱することなく、他の実施例に具現され得る。また、それぞれの開示された実施例内の個別構成要素の位置または配置は、本発明の技術的思想および範囲を逸脱することなく、変更され得ることが理解されなければならない。したがって、後述する詳細な説明は、限定的な意味として取ろうとするものではなく、本発明の範囲は、その請求項が主張するものと均等なすべての範囲とともに、添付の請求項のみにより限定される。図面において類似の参照符号は、様々な側面において同一または類似の機能を指す。
【００２１】
以下、本発明の属する技術分野における通常の知識を有する者が本発明を容易に実施することができるようにするために、本発明の好ましい実施例に関して添付の図面を参照して詳細に説明することとする。
【００２２】
図１は、本発明の実施例による衣類の整理が容易なドレスブックの斜視図であり、図２は、前記ドレスブックの展開図であり、図３は、前記ドレスブックの実施例を示す図である。
【００２３】
図１〜図３に示されたように、衣類の一部分に配置され、衣類を折り畳んで整理するドレスブックにおいて、本発明は、本体１００と離脱防止部材２００とを含むことができる。
【００２４】
前記本体１００は、ダイアリー形状に製作され、設定された形態に衣類を折り畳んで収納することができる。
【００２５】
本体１００は、第１翼部１１０と、第２翼部１２０と、折り曲げ部１３０とを含むことができる。
【００２６】
前記第１翼部１１０は、設定された形態に製作され、ダイアリー形状の一面を成すことができる。
【００２７】
前記第２翼部１２０は、第１翼部１１０に対応し、四角形の形状に製作され、ダイアリー形状の他面を成すことができる。
【００２８】
前記折り曲げ部１３０は、第１翼部１１０と第２翼部１２０との間に介在した状態に一体に連結され、かつ、第１翼部１１０と第２翼部１２０をそれぞれ内側に折り曲げることができる。
【００２９】
前記離脱防止部材２００は、本体１００の一部分に設けられ、本体１００に折り畳まれて収納された衣類が本体１００から離脱するのを防止することができる。
【００３０】
離脱防止部材２００は、第１，第２翼部１１０，１２０の末端にそれぞれ設置され、衣類が折り畳まれて収納された本体１００の第１，第２翼部１１０，１２０と折り曲げ部１３０の外側を取り囲みながら衣類を固定させるストラップであってもよい。
【００３１】
前記ストラップは、一般的な繊維布で製作され、一つの翼部（一般的に、第１翼部１１０）の一部分には、リングを用意して一端を固定させ、他の翼部（一般的に、第２翼部１２０）の一部分には、接着材を塗布してそれぞれ翼部１１０、１２０を固定させて使用することができる。
【００３２】
また、ストラップは、繊維布のみならず、弾力性に優れた合成繊維などを利用して製作されることもできる。
【００３３】
本発明による衣類の整理が容易なドレスブックは、固定部３００と挟持部４００をさらに含むことができる。
【００３４】
前記固定部３００は、第１翼部１１０の末端の一部分に設定された形態に溝を形成し、衣類の整理時に衣類の一部分が挟持固定され得る。
【００３５】
具体的に、第１翼部１１０や第２翼部１２０の末端の一部分で設定されたサイズの三角形の形状に一対の溝を形成し、この部分を利用して衣類の襟カラーなどを保持して固定が可能である。
【００３６】
前記挟持部４００は、第１翼部１１０の一部分に切開された状態に形成され、切開された部位の間に衣類の一部分を挟むことができる。
【００３７】
すなわち、第１翼部１１０の一部分を設定された形態に切開し、前記切開された隙間の間に衣類を挟んで固定させることができる。
【００３８】
本体１００は、合成樹脂を利用して製作され得る。
【００３９】
本体１００の素材に使用される合成樹脂は、加工性、強度、硬度、耐食性、耐候性、耐水性、耐久性などの特性があり、着色が自由であり、色も美しいので、多様な分野に適合した材料に加工されて使用されており、その種類としては、フェノール樹脂、ポリウレタン樹脂、ポリアミド樹脂、アクリル樹脂、ウレア／メラミン樹脂、シリコン樹脂などがある。
【００４０】
また、本体１００は、紙で製作され、旅行や出張へ行く場合、またはホテルなどの宿泊施設などでも手軽に使用することができる。
【００４１】
また、本体１００は、第１翼部１１０それぞれのエッジ部分を斜め方向に設定されたサイズの面取りをして、衣類の一部分が被せられながら固定され、挟持部４００の上端の一部分に形成されたホールを介して離脱防止部材２００の一端が貫通して固定される構造であってもよい。
【００４２】
すなわち、前記第１翼部１１０の面取りが施された部分が衣類の肩の部分に被せられながら、ドレスブック１０に衣類を確実に固定させることができる。
【００４３】
また、離脱防止部材２００は、一部分にベルクロファスナーを具備し、本体１００にこれに対応するベルクロファスナーを具備して、離脱防止部材２００を本体１００に着脱可能に取り付けることができる。
【００４４】
本発明は、ドレスブック１０に対応する形状に製作され、衣類が収納されたドレスブック１０の外部を完全に取り囲みながら、衣類の保護をより一層強化する透明な材質の合成樹脂素材の外部カバーをさらに含むことができる。
【００４５】
本発明による衣類の整理が容易なドレスブックの使用方法として、利用者は、ダイアリー形状の本体１００を衣類の上にひろげ、第１翼部１１０と第２翼部１２０を衣類に密着させ、衣類をドレスブック１０のサイズに合うように両側の腕を折り畳んで、さらに、広げられたドレスブック１０の下端を越えて突出した衣類の下部を折り畳んだ後、折り曲げ部１３０を利用して本体１００の第１翼部１１０と第２翼部１２０をそれぞれ折り畳んで、本体１００に衣類を収納し、離脱防止部材２００のストラップにて本体１００と衣類の外部を取り囲みながら、衣類の離脱を防止することができる。
【００４６】
この際、利用者は、第１翼部１１０や第２翼部１２０の末端に形成された固定部３００に衣類の襟カラーなどをかけて固定し、また、第１翼部１１０の面取りされた部分を衣類の肩の部分に被せながら衣類を固定し、一部分に形成された挟持部４００に衣類の一部分を挟持しつつ、衣類を補助的に固定させることができる。
【００４７】
以上では、本発明を好ましい実施例に基づいて説明したが、本発明の技術的思想は、これに限定されず、請求項に記載された範囲内で変形や変更実施が可能であることは、本発明の属する技術分野における通常の知識を有する者に明白であり、そのような変形や変更は、添付の特許請求の範囲に属すると言える。
【産業上の利用可能性】
【００４８】
本発明による衣類の整理が容易なドレスブックは、本体をブックやダイアリー形状に製作して衣類を本体に配置し、折り曲げ部を利用して第１，第２翼部をそれぞれ内側方向に折り畳みながら、短時間に容易に衣類の整理および保管が可能であるので、利用者の苦労を低減すると共に、時間的な面においても節約が可能であるので、産業上の利用可能性がある。
【符号の説明】
【００４９】
１０  ドレスブック
１００  本体
１１０  第１翼部
１２０  第２翼部
１３０  折り曲げ部
２００  離脱防止部材
３００  固定部
４００  挟持部
【図１】
2019531986.tif 000003
【図２】
2019531986.tif 000004
【図３】
2019531986.tif 000005
【国際調査報告】
2019531986.tif 000006
2019531986.tif 000007
2019531986.tif 000008
2019531986.tif 000009